(57)【要約】      （修正有）【課題】ダイヤル錠とシリンダ錠を併合して設けたバックルを有する鞄の胴締めベルトを提供する。【解決手段】互いに着脱自在とした雄部材１と雌部材２とからなるバックルの一方をベルト本体の一端に接続し、バックルの他方をベルト本体の他端に接続し、雄部材１は突出部１１、係合部１２、当接部１３を有する一対の弾性アーム１４を備え、雌部材２は一対の窓部２１と係合受部２２を有する筒状体２３を備え、さらに雌部材２の筒状体２３内部に、ダイヤル錠６の各ダイヤル６１およびシリンダ錠７のシリンダ７１を設けると共に、これらダイヤル錠６またはシリンダ錠７の施錠または解錠により、雄部材１の一対の弾性アーム１４の当接部１３どうしの間に入り込んだり、その当接部１３どうしの間から上下動して、弾性アーム１４の突出部１１の押し込み操作を可能にしたり不可能にするようにした揺動板８を設けたものとしている。【選択図】図６
2007063830.tif 000002
【特許請求の範囲】
【請求項１】
互いに着脱自在とした雄部材（１）と雌部材（２）とからなるバックル（３）の一方をベルト本体（４）の一端に接続し、前記バックル（３）の他方をベルト本体（４）の他端に接続した鞄の胴締めベルトであって、前記雄部材（１）は突出部（１１）、係合部（１２）、当接部（１３）を有する一対の弾性アーム（１４）を備え、前記雌部材（２）は一対の窓部（２１）と係合受部（２２）を有する筒状体（２３）を備え、さらに前記雌部材（２）の筒状体（２３）内部に、ダイヤル錠（６）の各ダイヤル（６１）およびシリンダ錠（７）のシリンダ（７１）を設けると共に、これらダイヤル錠（６）またはシリンダ錠（７）の施錠または解錠により、前記雄部材（１）の一対の弾性アーム（１４）の当接部（１３）どうしの間に入り込んだり、その当接部（１３）どうしの間から上下動して、前記弾性アーム（１４）の突出部（１１）の押し込み操作を可能にしたり不可能にするようにした揺動板（８）を設けたものとしていることを特徴とする鞄の胴締めベルト。
【請求項２】
前記揺動板（８）は、全体が上下動すると共に両端が交互に上下動するようにして、雌部材（２）の筒状体（２３）に設けられた支持台（２５）に支持したものとし、ダイヤル錠（６）の各ダイヤル（６１）の数字を特定の組み合わせにすると、各ダイヤル（６１）と同軸回動する各カム筒（６２）の凹部（６２ａ）の位置が一致して全体が上昇し、前記ダイヤル錠（６）の各ダイヤル（６１）の数字を特定の組み合わせ以外にすると、前記各カム筒（６２）の凹部（６２ａ）の位置が不一致となり全体が下降し、シリンダ錠（７）の鍵穴（７３）に鍵を差し込んでシリンダ（７１）を施錠する方向に回動させると、シリンダ（７１）に設けた操作体（７２）により一端が押し上げられて、その一端が上昇すると共に他端が下降し、前記シリンダ錠（７）の鍵穴（７３）に鍵を差し込んでシリンダ（７１）を解錠する方向に回動させると、前記操作体（７２）が前記一端から離れ、その一端が下降すると共に他端が上昇するようにしていることを特徴とする請求項１記載の鞄の胴締めベルト。
【発明の詳細な説明】
【技術分野】
【０００１】
この発明は、スーツケース等の鞄の胴体に巻き付けて使用する胴締めベルトに関するものである。
【背景技術】
【０００２】
従来、この種の鞄の胴締めベルトは、例えば図１０に示したように、ベルト本体１０１の中間部にベルト本体１０１の長さを調節するコキ１０２を取り付け、互いに着脱自在な雌体１０３と雄体１０４とからなるバックル１０５の一方をベルト本体１０１の一端に接続し、ベルト本体１０１の他端をバックル１０５の他方に設けた連結環部１０６に挿通して折り返すことによりコキ１０２に繋ぎ、バックル１０５に雌体１０３と雄体１０４が嵌着して係止した状態をロック可能な施錠装置１０７を設けたものとしている。そして、バックル１０５の雄体１０４は係止部１０８と係止解除ボタン部１０９を有する突片１１０を突設し、またバックル１０５の雌体１０３は突片１１０を挿入可能な中空部１１１と係止部１０８が係合可能な被係止部１１２および係止解除ボタン部１０９を露出させる窓部１１３を設けている。さらに、バックル１０５の雌体１０３には雄体１０４の係止部１０８と被係止部１１２の係合状態をロックする前記施錠装置１０７を備えている。この施錠装置１０７は二つのダイヤル１１４の数字を特定の組み合わせにした場合にロック状態を解消できる仕組みになっている（特許文献１）。
【０００３】
このように構成された鞄の胴締めベルトは、バックル１０５の雌体１０３と雄体１０４の着脱操作が簡単なので鞄に対する取り付けおよび取り外しが容易であり、雌体１０３と雄体１０４が嵌着した状態を施錠装置１０７によりロックすることにより意に反して外れることを防止できるとしている。
【特許文献１】実用新案登録第３０６８８７２号公報（第６、７頁、図１）
【発明の開示】
【発明が解決しようとする課題】
【０００４】
上記従来の鞄の胴締めベルトでは、施錠装置１０７のダイヤル１１４の数字の特定の組み合わせを忘れてしまった場合には、雌体１０３と雄体１０４が嵌着した状態を解除することができず、バックル１０５を壊してしまうか、ベルト本体１０１を切断しないと鞄から外して、鞄を開けることができないという問題点を有している。
【０００５】
また、従来の鞄の胴締めベルトには、数字の組み合わせにより施錠したり解錠するようにした上記ダイヤル錠の代わりに、鍵穴に鍵を差し込んで回動させることにより施錠したり解錠するようにしたシリンダ錠を設けたものは存在しないが、このようなシリンダ錠をバックルに設けたとしても、そのシリンダ錠を施錠したり解錠するための鍵を失ってしまった場合には、ダイヤル錠を設けたものと同様のことがおこるという問題点を有することになる。
【０００６】
そこで、従来の鞄の胴締めベルトにおいて、ダイヤル錠とシリンダ錠の両方をバックルに設け、ダイヤルの数字の組み合わせ、または鍵のいずれでも施錠したり解錠するようにすれば、上記のような問題点は解消される。
【０００７】
しかしながら、鞄の胴締めベルトにおいて、ダイヤルの数字の組み合わせ、または鍵のいずれでも施錠したり解錠するようにした機構の実現、すなわちダイヤル錠とシリンダ錠の両方を併合して設けるのは困難であり、また鞄の胴締めベルトのバックルという大きさの限られた個所に、ダイヤル錠とシリンダ錠の両方の設置場所を確保するのは困難であるという問題点を有する。
【０００８】
そのため、この発明は、ダイヤルの数字の組み合わせにより施錠したり解錠するようにしたダイヤル錠と、鍵穴に鍵を差し込んでシリンダを回動させることにより施錠したり解錠するようにしたシリンダ錠を併合して設けたバックルを有する鞄の胴締めベルトを提供することを目的としてなされたものである。
【課題を解決するための手段】
【０００９】
そのため、この発明の鞄の胴締めベルトは、互いに着脱自在とした雄部材１と雌部材２とからなるバックル３の一方をベルト本体４の一端に接続し、前記バックル３の他方をベルト本体４の他端に接続した鞄の胴締めベルトであって、前記雄部材１は突出部１１、係合部１２、当接部１３を有する一対の弾性アーム１４を備え、前記雌部材２は一対の窓部２１と係合受部２２を有する筒状体２３を備え、さらに前記雌部材２の筒状体２３内部に、ダイヤル錠６の各ダイヤル６１およびシリンダ錠７のシリンダ７１を設けると共に、これらダイヤル錠６またはシリンダ錠７の施錠または解錠により、前記雄部材１の一対の弾性アーム１４の当接部１３どうしの間に入り込んだり、その当接部１３どうしの間から上下動して、前記弾性アーム１４の突出部１１の押し込み操作を可能にしたり不可能にするようにした揺動板８を設けたものとしている。
【００１０】
そして、この発明の鞄の胴締めベルトにおいて、前記揺動板８は、全体が上下動すると共に両端が交互に上下動するようにして、雌部材２の筒状体２３に設けられた支持台２５に支持したものとし、ダイヤル錠６の各ダイヤル６１の数字を特定の組み合わせにすると、各ダイヤル６１と同軸回動する各カム筒６２の凹部６２ａの位置が一致して全体が上昇し、前記ダイヤル錠６の各ダイヤル６１の数字を特定の組み合わせ以外にすると、前記各カム筒６２の凹部６２ａの位置が不一致となり全体が下降し、シリンダ錠７の鍵穴７３に鍵を差し込んでシリンダ７１を施錠する方向に回動させると、シリンダ７１に設けた操作体７２により一端が押し上げられて、その一端が上昇すると共に他端が下降し、前記シリンダ錠７の鍵穴７３に鍵を差し込んでシリンダ７１を解錠する方向に回動させると、前記操作体７２が前記一端から離れ、その一端が下降すると共に他端が上昇するようにしている。
【発明の効果】
【００１１】
この発明は、以上に述べたように構成されているので、ダイヤルの数字の組み合わせにより施錠したり解錠するようにしたダイヤル錠と、鍵穴に鍵を差し込んでシリンダを回動させることにより施錠したり解錠するようにしたシリンダ錠を併合して設けたバックルを有する鞄の胴締めベルトを提供することができた。
【発明を実施するための最良の形態】
【００１２】
以下、この発明の鞄の胴締めベルトを実施するための最良の形態を、図面に基づいて詳細に説明する。
【００１３】
図１は、この発明の鞄の胴締めベルトの全体斜視図を示しており、互いに着脱自在とした雄部材１と雌部材２とからなるバックル３の一方をベルト本体４の一端に接続し、バックル３の他方をベルト本体４の他端に接続したものとしている。このベルト本体４の適宜箇所には、長さ調節具５を設けたものとしている。
【００１４】
前記雄部材１は、突出部１１、係合部１２、当接部１３を有する一対の弾性アーム１４を備えている。突出部１１は、外側面が内方に先窄まりの傾斜を有するものとし、この突出部１１の基部に前記係合部１２が形成されており、この突出部１１の内側に当接部１３が形成されている。
【００１５】
前記雌部材２は、一対の窓部２１と係合受部２２を有する筒状体２３を備えている。窓部２１は、筒状体２３の一対の側壁２３ａに対向して形成されており、筒状体２３の挿入口２４寄りの前記窓部２１の端縁には、雄部材１の係合部１２と係合可能とした前記係合受部２２が形成されている。また、前記窓部２１の上下端縁は、側壁２３ａから筒状体２３内方に向けて入り込ませている。
【００１６】
さらに、前記雌部材２の内部には、ダイヤル錠６およびシリンダ錠７を設けている。そして、これらダイヤル錠６およびシリンダ錠７の施錠または解錠により、前記バックル３の雄部材１と雌部材２とを連結し、弾性アーム１４の突出部１１が筒状体２３の窓部２１に嵌合している状態において、前記雄部材１の一対の弾性アーム１４の当接部１３どうしの間に入り込んだり、その当接部１３どうしの間から上下動して、前記弾性アーム１４の突出部１１の押し込み操作を可能にしたり、不可能にするようにした揺動板８を設けたものとしている。前記弾性アーム１４の突出部１１の押し込み操作は、係合受部２２と係合部１２とが係合し、窓部２１に突出部１１が嵌合して、雄部材１と雌部材２とが連結している状態から、前記突出部１１が筒状体２３内部へ押し込まれて、係合受部２２と係合部１２との係合が外れ、窓部２１から突出部１１が外れて、雄部材１と雌部材２との連結を外せる状態にするためのものである。
【００１７】
前記揺動板８は、全体が上下動すると共に両端が交互に上下動するようにして、雌部材２の筒状体２３に設けられた支持台２５に支持したものとしている。支持台２５は、前記揺動板８の支持部８１を上下動可能に支持するための遊挿部２６と、ダイヤル錠６の各ダイヤル６１、各カム筒６２、バネ６３および設定ノブ６４を軸支するロッド６５を支持するための支持孔２７を有する支持体２８が設けられている。また、この支持体２８には、前記揺動板８を常時上方に押圧するバネ８２の受部２９が設けられている。さらに、この支持台２５には、シリンダ錠７のシリンダ７１を保持するための保持体３０が設けられている。なお、前記バネ６３は、各ダイヤル６１、各カム筒６２に押圧力を与えて、これらをがたつかないようにしてロッド６５に軸支しておくためのものであり、設定ノブ６４は、各ダイヤル６１の数字を特定の組み合わせに設定しておくためのものである。
【００１８】
前記揺動板８の一端側には、ダイヤル錠６の各ダイヤル６１の挿入孔８３が設けられており、これら挿入孔８３に隣接して各カム筒６２の凹部６２ａの受部８４が設けられている。さらに、前記揺動板８の他端側には、シリンダ錠７のシリンダ７１の下端に設けた操作体７２との接触部８５が設けられている。
【００１９】
前記ダイヤル錠６の各ダイヤル６１の上部は、雌部材２の筒状体２３の上壁２３ｂに形成された通孔３１から露出するようにしており、バックル３の外部から各ダイヤル６１を操作して、各ダイヤル６１の数字を特定の組み合わせにしたり、その数字を特定の組み合わせ以外にできるようにしている。なお、前記ダイヤル錠６は、三つのダイヤル６１の数字を組み合わせるものとしているが、二つのダイヤル６１または四つ以上のダイヤル６１の数字を組み合わせるものとしてもよい。
【００２０】
そこで、前記ダイヤル錠６は、図６に示したように各ダイヤル６１の数字を特定の組み合わせにすると、図７に示したように各ダイヤル６１と同軸回動するようにした各カム筒６２の凹部６２ａの位置が一致して、この凹部６２ａに揺動板８の受部８４が嵌まり込み、バネ８２の押圧力によって揺動板８の全体が上昇し、この揺動板８の揺動端８６が前記雄部材１の一対の弾性アーム１４の当接部１３どうしの間から上昇し、前記弾性アーム１４の突出部１１の押し込み操作を可能にする。
【００２１】
また、前記ダイヤル錠６は、図４に示したように各ダイヤル６１の数字を特定の組み合わせ以外にすると、図５に示したように前記各カム筒６２の凹部６２ａの位置が不一致となり、このカム筒６２により揺動板８が押さえられて、この揺動板８の揺動端８６が前記雄部材１の一対の弾性アーム１４の当接部１３どうしの間に入り込み、前記弾性アーム１４の突出部１１の押し込み操作を不可能にする。
【００２２】
さらに、前記シリンダ錠７のシリンダ７１に設けた鍵穴７３は、雌部材２の筒状体２３の上壁２３ｂに形成された通孔３２から露出するようにしており、バックル３の外部からその鍵穴７３に鍵（図示せず）を差し込んで、シリンダ７１を施錠する方向に回動させたり、シリンダ７１を解錠する方向に回動させたりできるようにしている。
【００２３】
そこで、前記シリンダ錠７は、図８に示したようにシリンダ７１を解錠する方向に回動させると、図９に示したようにシリンダ７１に設けた操作体７２により揺動板８の接触部８５が押し上げられて、その一端が上昇すると共に他端が下降し、この揺動板８の揺動端８６が前記雄部材１の一対の弾性アーム１４の当接部１３どうしの間から下降し、前記弾性アーム１４の突出部１１の押し込み操作を可能にする。
【００２４】
さらに、前記シリンダ錠７は、図４に示したようにシリンダ７１を施錠する方向に回動させると、図５に示したように前記操作体７２が揺動板８の接触部８５から離れ、その揺動端８６がバネ８２の押圧力によって押し上げられて、揺動板８の揺動端８６が前記雄部材１の一対の弾性アーム１４の当接部１３どうしの間に入り込み、前記弾性アーム１４の突出部１１の押し込み操作を不可能にする。
【００２５】
したがって、この発明の鞄の胴締めベルトにおいて、バックル３の雄部材１と雌部材２とが連結している状態で、ダイヤル錠６のダイヤル６１の数字の特定の組み合わせを忘れてしまった場合には、シリンダ錠７を前記したように操作して、揺動板８の揺動端８６を雄部材１の一対の弾性アーム１４の当接部１３どうしの間から下降させ、弾性アーム１４の突出部１１の押し込み操作を可能すれば、この突出部１１を筒状体２３内部へ押し込むことができ、係合受部２２と係合部１２との係合を外し、窓部２１から突出部１１を外して、雄部材１と雌部材２との連結を外すことができる。
【００２６】
また、この発明の鞄の胴締めベルトにおいて、バックル３の雄部材１と雌部材２とが連結している状態で、シリンダ錠７を施錠したり解錠するための鍵を失ってしまった場合には、ダイヤル錠６を前記したように操作して、揺動板８の揺動端８６を前記雄部材１の一対の弾性アーム１４の当接部１３どうしの間から上昇させ、弾性アーム１４の突出部１１の押し込み操作を可能にすれば、この突出部１１を筒状体２３内部へ押し込むことができ、係合受部２２と係合部１２との係合を外し、窓部２１から突出部１１を外して、雄部材１と雌部材２との連結を外すことができる。
【図面の簡単な説明】
【００２７】
【図１】この発明の鞄の胴締めベルトの一実施形態を示す斜視図である。
【図２】この発明の鞄の胴締めベルトのバックルの斜視図である。
【図３】この発明の鞄の胴締めベルトのバックルの雌部材の筒状体を除いた他の部材の分解斜視図である。
【図４】この発明の鞄の胴締めベルトのバックルの雄部材と雌部材の操作状態を一部省略して示す平面図である。
【図５】図４に示すバックルの雄部材と雌部材の操作状態を側面から見た説明図である。
【図６】この発明の鞄の胴締めベルトのバックルの雄部材と雌部材の他の操作状態を一部省略して示す平面図である。
【図７】図６に示すバックルの雄部材と雌部材の操作状態を側面から見た説明図である。
【図８】この発明の鞄の胴締めベルトのバックルの雄部材と雌部材のさらに他の操作状態を一部省略して示す平面図である。
【図９】図８に示すバックルの雄部材と雌部材の操作状態を側面から見た説明図である。
【図１０】従来の鞄の胴締めベルトの斜視図である。
【符号の説明】
【００２８】
１  雄部材
２  雌部材
３  バックル
４  ベルト本体
６  ダイヤル錠
７  シリンダ錠
８  揺動板
１１  突出部
１２  係合部
１３  当接部
１４  弾性アーム
２１  窓部
２２  係合受部
２３  筒状体
２５  支持台
６１  ダイヤル
６２  カム筒
６２ａ  凹部
７１  シリンダ
７２  操作体
７３  鍵穴
【図１】
2007063830.tif 000003
【図２】
2007063830.tif 000004
【図３】
2007063830.tif 000005
【図４】
2007063830.tif 000006
【図５】
2007063830.tif 000007
【図６】
2007063830.tif 000008
【図７】
2007063830.tif 000009
【図８】
2007063830.tif 000010
【図９】
2007063830.tif 000011
【図１０】
2007063830.tif 000012